(57)【要約】  本発明のモバイル端末機用ケースは、モバイル端末機の側面及び背面に重畳され、前記側面に締まりばめ式で結合されるボディーと；前記ボディーのうち前記モバイル端末機の背面に重畳される面に結合され、一対よりなり、ユーザの中指及び薬指が挿入されるリングと；を含む。本発明によれば、前記ボディーをモバイル端末機に結合させた状態で、ユーザは、いずれか一方の手の中指及び薬指をリングに挿入し、モバイル端末機をよく取った状態で、当該手の親指または人差し指を利用してキーパッドやタッチスクリーン機能を有する液晶画面を操作することができ、一方の手だけによりモバイル端末機の利用が可能であるという長所を有する。
2013519339.tif 000002
【特許請求の範囲】
【請求項１】
モバイル端末機の側面及び背面に重畳され、前記側面に締まりばめ式で結合されるボディーと；
前記ボディーにおいて前記モバイル端末機の背面に重畳される面に結合され、一対よりなり、ユーザの中指及び薬指が挿入されるリングと；を含み、
前記リングは、前記ボディーに対して回転自在に結合される
ことを特徴とするモバイル端末機用ケース。
【請求項２】
モバイル端末機の側面及び背面に重畳され、前記側面に締まりばめ式で結合されるボディーと；
前記ボディーにおいて前記モバイル端末機の背面に重畳される面に結合され、一対よりなり、ユーザの中指及び薬指が挿入されるリングと；を含み、
前記リングと前記ボディーとの結合は、ヒンジ結合であり、前記リングが回転し、前記ボディーに挿入されるように前記リングと同一の形状のリング保持孔が形成される
ことを特徴とするモバイル端末機用ケース。
【発明の詳細な説明】
【技術分野】
【０００１】
本発明は、モバイル端末機用ケースに関し、特に携帯電話やＰＤＡなどのような移動通信機器の側面及び背面に重畳配置され、ユーザが一方の手で前記モバイル端末機を取った状態で、当該手の指でモバイル端末機の液晶画面やキーパッドなどを操作することができるモバイル端末機用ケースに関する。
【背景技術】
【０００２】
一般的に、モバイル端末機は、携帯電話、ＰＤＡ、ＰＭＰなどのような携帯用通信機器またはディスプレイであって、無線通信網を使用するか、または内部に格納されたプログラムを利用して移動しながらもインターネット使用、電話通話、映画感想など多様な機能を提供する装置である。
【０００３】
最近、スクリーンを接触して操作することができるタブレットパッドが搭載されたタッチホンやスマートホンなどが市販されている。
【０００４】
このようなモバイル端末機のうち最近市販されたスマートホンなどは、電話または文字メッセージの送受信機能だけでなく、文書作業、インターネット使用、電子メール送受信など活用領域が非常に多様になっている。
【０００５】
これにより、モバイル端末機を場所や時間にこだわることなく使用することによって、手首、肩、首などの痛症を訴える人々が多くなっているが、これは、モバイル端末機の使用方法上、両手で取って利用する身体動作の制約事項に因ると言える。
【０００６】
例えば特許文献１には、携帯電話本体の側面にヒンジを介して携帯電話本体の背面に肩当てプレートを施し、ヒンジにより肩当てプレートを開閉可能とし、使用する場合は、肩当てプレートを開き、肩に押し当て、携帯電話本体を耳に当てて耳と肩の間に挟み、通話中でも両手は他のことをすることができる発明が記載されている。
【先行技術文献】
【特許文献】
【０００７】
【特許文献１】特開２００５−１５１５１７号公報
【発明の概要】
【発明が解決しようとする課題】
【０００８】
本発明は、前述したような問題点を解決するためになされたもので、その目的は、モバイル端末機を片手で取って使用することができるモバイル端末機用ケースを提供することにある。
【課題を解決するための手段】
【０００９】
本発明のモバイル端末機用ケースは、モバイル端末機の側面及び背面に重畳され、前記側面に締まりばめ式で結合されるボディーと；前記ボディーにおいて前記モバイル端末機の背面に重畳される面に結合され、一対よりなり、ユーザの中指及び薬指が挿入されるリングと；を含む。
【００１０】
前記リングは、前記ボディーに対して回転自在に結合されることが好ましい。
【００１１】
前記リングと前記ボディーとの結合は、ヒンジ結合であり、前記リングが回転し、前記ボディーに挿入されるように前記リングと同一の形状のリング保持孔が形成されることが好ましい。
【発明の効果】
【００１２】
本発明のモバイル端末機用ケースによれば、前記ボディーをモバイル端末機に結合させた状態で、ユーザは、いずれか一方の手の中指及び薬指をリングに挿入し、モバイル端末機をよく取った状態で、当該手の親指または人差し指を利用してキーパッドやタッチスクリーン機能を有する液晶画面を操作することができ、一方の手だけによりモバイル端末機の利用が可能であるという長所を有する。
【図面の簡単な説明】
【００１３】
【図１】本発明の第１実施例によるモバイル端末機用ケースを概略的に示す斜視図である。
【図２】図１のモバイル端末機用ケースが携帯電話に結合された様子を概略的に示す斜視図である。
【図３】本発明の第２実施例によるモバイル端末機用ケースを概略的に示す斜視図である。
【図４】図３のモバイル端末機用ケースが携帯電話に結合された様子を概略的に示す斜視図である。
【発明を実施するための形態】
【００１４】
以下、添付の図面を参照しながら本発明の一実施例によるモバイル端末機用ケースについて詳しく説明する。
【００１５】
図１は、本発明の第１実施例によるモバイル端末機用ケースを概略的に示す斜視図であり、図２は、図１のモバイル端末機用ケースが携帯電話に結合された様子を概略的に示す斜視図である。
【００１６】
図１及び図２を参照すれば、本発明のモバイル端末機用ケース１００は、合成樹脂材質またはゴム材質よりなるボディー１１０及びリング１２０を含む。
【００１７】
前記ボディー１１０は、モバイル端末機３００の裏面に重畳配置される前面と、前記前面の両端に前記前面に対して略直交する方向に形成され、モバイル端末機３００の側面に重畳配置されると共に、モバイル端末機３００に結合する側面とを有する。
【００１８】
前記ボディー１１０は、従来のモバイル端末機３００のケースと同様に、少しの弾性を持って締まりばめ式でモバイル端末機３００に結合される。
【００１９】
前記ボディー１１０の前面の中心には、孔（図示せず）が形成される。
【００２０】
前記リング１２０は、前記ボディー１１０の孔に挿入結合される部分であり、円形の指挿入部が一対設けられ、前記指挿入部の中心に連結部が水平に形成され、前記連結部に直交する方向に支持部が形成される。
【００２１】
前記指挿入部は、ユーザの中指及び薬指が挿入される部分であり、略めがねと類似の形状を有することができ、前記ボディー１１０に形成された孔を基準にして前面の一側に配置される。
【００２２】
ここで、前記指挿入部にユーザの中指及び薬指が挿入されるとされたが、これに限定されるものではなく、ユーザが任意に指のうちいずれか２つを挿入させることができる。
【００２３】
前記連結部は、前記ボディー１１０の孔を貫通して配置される。
【００２４】
前記支持部は、前記ボディー１１０の前面の他側に配置される。
【００２５】
前記リング１２０は、前記ボディー１１０に対して回転自在に結合されるが、これは、最近、技術の発達に伴い、モバイル端末機３００に表示される画面が垂直または水平方向に自動回転することを見込んだもので、指をリング１２０の指挿入部に挿入した状態で、モバイル端末機３００を垂直方向に見るか、または水平方向に見る場合によって、前記リング１２０をボディー１１０に対して回転させながら見るためである。
【００２６】
前述のような構造のモバイル端末機のケース１００によれば、前記ボディー１１０をモバイル端末機３００に結合させた状態で、ユーザは、いずれか一方の手の中指及び薬指をリング１２０に挿入し、モバイル端末機３００をよく取った状態で、当該手の親指または人差し指を利用してキーパッドやタッチスクリーン機能を有する液晶画面を操作することができ、一方の手だけによりモバイル端末機３００の利用が可能であるという長所を有する。
【００２７】
図３は、本発明の第２実施例によるモバイル端末機用ケースを概略的に示す斜視図であり、図４は、図３のモバイル端末機用ケースが携帯電話に結合された様子を概略的に示す斜視図である。
【００２８】
第２実施例において第１実施例と同一の構成要素及びその作用効果が同一のものは、その説明を省略する。
【００２９】
図３及び図４を参照すれば、本発明のモバイル端末機用ケース２００は、ボディー２１０及びリング２２０を含む。
【００３０】
前記ボディー２１０は、モバイル端末機３００と同一の形状を有し、且つ前面が開放され、モバイル端末機３００の画面のある前面が露出する。
【００３１】
前記ボディー２１０においてモバイル端末機３００の裏面に重畳配置される裏面には、中心部にリング保持孔２１１が形成される。
【００３２】
前記リング保持孔２１１は、前記リング２２０と同一の形状を有するか、またはリング２２０よりさらに大きく形成され、前記リング２２０を前記リング保持孔２１１に重畳配置するとき、前記リング保持孔２１１に前記リング２２０が収容されることができる。
【００３３】
前記リング２２０は、円形よりなり、ユーザの指が挿入される一対の指挿入部が形成され、前記一対の指挿入部を連結する連結部が設けられ、前記連結部は、前記ボディー２１０に回転自在にヒンジ結合され、回転によって前記リング２２０が前記リング保持孔２１１に挿入されることができる。
【００３４】
したがって、普段、前記リング２２０をリング保持孔２１１に挿入することによって、リング２２０による障害を防止することができる。
【００３５】
前述のような構造のモバイル端末機用ケース２００によれば、前記ボディー２１０をモバイル端末機３００に結合させた状態で、ユーザは、いずれか一方の手の中指及び薬指をリング２２０に挿入し、モバイル端末機３００をよく取った状態で、当該手の親指または人差し指を利用してキーパッドやタッチスクリーン機能を有する液晶画面を操作することができ、一方の手だけによりモバイル端末機３００の利用が可能であるという長所を有する。
【符号の説明】
【００３６】
１００    モバイル端末機用ケース
１１０    ボディー
１２０    リング
２００    モバイル端末機用ケース
２１０    ボディー
２１１    リング保持孔
２２０    リング
３００    モバイル端末機
【図１】
2013519339.tif 000003
【図２】
2013519339.tif 000004
【図３】
2013519339.tif 000005
【図４】
2013519339.tif 000006
【国際調査報告】
2013519339.tif 000007
2013519339.tif 000008
2013519339.tif 000009
2013519339.tif 000010